(57)【要約】【課題】従来の技術としては、攪拌回転体が垂直方向に回転するもので、機能構造が異なるものである。また、網状体を設けてなるもので、焼き栗専用機であり、構造や目的が異なるものである。【解決手段】  容器本体と蓋と攪拌装置とからなる調理器であって、攪拌装置が蓋の上部に減速器付モーターを設けると共に、容器本体内に回転羽根を設けた回転軸を減速器付モーターに連結してなること。【選択図】図１
2013090890.tif 000002
【特許請求の範囲】
【請求項１】
容器本体と蓋と攪拌装置とからなる調理器であって、攪拌装置が蓋の上部に減速器付モーターを設けると共に、容器本体内に回転羽根を設けた回転軸を、減速器付モーターに連結してなることを特徴とする攪拌装置付調理器具。
【請求項２】
回転羽根が弾性体で回転軸の下部に少なくとも１枚、水平方向に突設してなることを特徴とする請求項１記載の攪拌装置付調理器具。
【請求項３】
回転羽根を上下位置変更すべく回転軸に連結部を設けてなることを特徴とする請求項１又は２記載の攪拌装置付調理器具。
【請求項４】
蓋に、水分を放出するための窓を設けてなることを特徴とする請求項１、２又は３記載の攪拌装置付調理器具。
【請求項５】
減速器付モーターに、バッテリーを付設し、タイマー・反転・間欠・ブザー・バイブレーターを制御する制御部を設けてなることを特徴とする請求項１、２、３又は４記載の攪拌装置付調理器具。
【請求項６】
上記攪拌装置の減速器モーターと回転軸を設けた回転軸を分離し、調理器の蓋の摘みを外し、その孔に回転軸を通し、連結して使用することを特徴とする攪拌装置。
【発明の詳細な説明】
【技術分野】
【０００１】  本発明は、容器本体内の料理材料を手間をかけず、かつ、焦げ付けることなく調理できる攪拌装置付調理器具及び攪拌装置に関するものである。
【背景技術】
【０００２】  従来の技術としては、器と、該器内の調理材料をかき混ぜる攪拌回転体と、該攪拌回転体を回転操作するためのハンドルと、を備えている。該ハンドルによって前記攪拌回転体を回転操作すると、前記器内の調理材料を手軽にかき混ぜることができる。前記器を振る必要はなく、前記ハンドルを回すだけでよいので、調理する人が疲れることはない。また、前記調理材料が前記器から飛び出すこともないものがある。（特許文献１参照）【０００３】  また、別の従来技術として、調理容器に複数個の炎通孔を形成すると共に該調理容器に該複数個の炎通孔からの栗の鬼皮等の焦げ滓の落下を防ぐ網状体を設けてなることを特徴とする焼き栗調理器がある。（特許文献２参照）
【先行技術文献】
【特許文献】
【０００４】
【特許文献１】  特開２００２−５８５９２号公報
【特許文献２】  実用新案登録第３１６１８８６号公報
【発明の概要】
【発明が解決しようとする課題】
【０００５】  上記前者においては、攪拌回転体が垂直方向に回転するもので、機能構造が異なるものである。【０００６】  また、上記後者においては、網状体を設けてなるものであり、また焼き栗専用機であり、構造や目的が異なるものである。【０００７】  本発明は、これらの従来の構成が有していた問題を解決しようとするもので、減速器付モーターと回転羽根を設けた回転軸との構成により、手動ではなく電動で動かすことが出来ると共に、回転羽根の位置を変えることにより、色々な調理に合わせて使用でき、一般に市販されている調理器にも取り付けることのできる攪拌装置付調理器具及び攪拌装置を提供することを目的とする。
【課題を解決するための手段】
【０００８】  本発明は、上記目的を達成するため、容器本体と蓋と攪拌装置とからなる調理器であって、攪拌装置が蓋の上部に減速器付モーターを設けると共に、容器本体内に回転羽根を設けた回転軸を減速器付モーターに連結してなること。回転羽根が弾性体で回転軸の下部に少なくとも１枚、水平方向に突設してなること。回転羽根を上下位置変更すべく回転軸に連結部を設けてなること。蓋に、水分を放出するための窓を設けてなること。減速器付モーターに、バッテリーを付設し、タイマー・反転・間欠・ブザー・バイブレーターを制御する制御部を設けてなること。上記攪拌装置の減速器モーターと回転軸を設けた回転軸を分離し、調理器の蓋の摘みを外し、その孔に回転軸を通し、連結して使用することを特徴とする。
【発明の効果】
【０００９】１）、容器本体と蓋と攪拌装置とからなり、蓋の上部に減速器付モーター容器本体内に内設した回転羽根を設けた回転軸を連結することにより容器本体内の料理材料を回転させることができ、手間をかけずに、かつ焦がすことなく調理することができる。
２）、回転羽根を容器本体内の下部及び上下位置に変更することにより、料理材料に合わせて位置設定できる。
３）、窓を設けることにより、容器本体内の蒸気を必要に応じて排出することができる。
４）、制御部を設けることにより、タイマー・反転・間欠など回転軸を調理にあわせて制御できる、均一な調理が出来ると共に、調理が終了したことを知らせるブザーや容器本体への料理材料の付着を防止するバイブレーターを制御する。
５）、調理器の蓋の摘みが外せるタイプ（一般に市販されている）のものであれば、攪拌装置を着脱自在に取り付けて使用できる。
【図面の簡単な説明】
【００１０】
【図１】  本発明の第１実施例を示す攪拌装置付調理器具の縦断正面図。
【図２】  本発明の第１実施例を示す攪拌装置付調理器具の平面図。
【図３】  本発明の第２実施例を示す攪拌装置付調理器具の攪拌装置の要部正面図。
【図４】  本発明の一実施例を示す攪拌装置の正面図。
【図５】  従来品の調理器の分解図。
【図６】  従来品の調理器へ攪拌装置を取り付けた状態図。
【発明を実施するための形態】
【００１１】１は、攪拌装置付調理器具である。
２は、円筒形の容器本体である。
３は、円形の蓋で、一部にスライド式の窓３ａを設けてなるものである。
４は、攪拌装置で、上部に減速器付モーター４ａに、バッテリーを付設し、タイマー・反転・間欠・ブザー・バイブレーター（図示せず）を制御する制御部４ｂを設けると共に、減速器付モーター４ａの下部に、弾性体（例えばシリコンゴム等）による回転羽根４ｃ１を水平方向に突設した回転軸４ｃを着脱自在に連結してある。
【００１２】  上記回転調理具１の使用例について説明する。
まず、回転調理具１の容器本体２内に料理材料Ｒ（例えばカレー等）を投入し、例えばガスコンロ（図示せず）上に置き、調理をスタートさせる。
つぎに、必要な時間帯やタイミングに、制御部４ｂをＯＮすることにより、減速器付モーター４ａが作動し、回転軸４ｃが回転することにより回転羽根４ｃ１が特に底面に沈殿した料理材料Ｒを攪拌し、均一な味や焦げ付きを防止することができる。
【００１３】  つぎに、第２実施例の攪拌装置付調理器具について説明する。
この攪拌装置付調理器具は、回転軸２４ｃが特徴で、軸２４ｃ２を上下に２分割し、上部の軸２４ｃ２の側面に固定ネジ２４ｃ３を設け、回転羽根２４ｃ１を２枚水平方向に突設してある。
なお、必要に応じて上部の軸２４ｃ２にも回転羽根を設けてもよい。
【００１４】  上記回転軸２４ｃを使用する時は、料理材料によっては底のみならず、中間や上方を攪拌する必要がある場合、固定ネジ２４ｃ３を緩め、下部の軸２４ｃ２を上方に移動させ、所要の位置にて固定ネジ２４ｃ３にて固定する。
なお、上部の軸２４ｃ２に回転羽根を設けた形態では、回転羽根２４ｃ１と角度を変えた設定ができる機能を有する。
【００１５】  つづいて、攪拌装置の説明をする。
この攪拌装置３４は、上記攪拌装置４や回転軸２４ｃと同様な構造で、これを上部の減速器付モーター３４ａに着脱自在に螺設して連結してあると共に、蓋の上面に固着すべく、ウレタンゴム等による貼着部３５を設けてある。
【００１６】  この攪拌装置３４の使用例について説明する。
まず、市販されている調理器（鍋等）の蓋Ｆの摘みＴを外します。
つぎに、分離した減速器付モーター３４ａを蓋Ｆの孔ＦＡより差し込み、蓋Ｆ上面に貼着部３５にて固着させる。
その後、蓋Ｆの下面より回転軸２４ｃ（４ｃ）を減速器付モーター３４ａに螺設し、必要に応じて固定ネジ２４ｃ３にて回転軸２４ｃ（４ｃ）の長さを調整して使用するものである。
【００１７】  上記各実施例において、各部位の材質については特に限定しない。
また、螺設の方法や貼着部の素材や方法等は同様な機能であればよい。
さらに、蓋は容器本体に固定することが望ましいが、固定方法は限定しない。
【００１８】１−−−攪拌装置付調理器具
２−−−容器本体
３−−−蓋
４−−−攪拌装置
【図１】
2013090890.tif 000003
【図２】
2013090890.tif 000004
【図３】
2013090890.tif 000005
【図４】
2013090890.tif 000006
【図５】
2013090890.tif 000007
【図６】
2013090890.tif 000008